(57)【特許請求の範囲】
【請求項１】
縦長の底板と、
前記底板の右方長辺に固定された右方基板と、
前記右方基板の外方へ回動自在に前記右方基板に連結されている右方可倒板と、
前記底板の左方長辺に固定された左方基板と、
前記左方基板の外方へ回動自在に前記左方基板に連結されている左方可倒板と、
前記底板の前方短辺に固定された前方基板と、
前記前方基板の外方へ回動自在に前記前方基板に連結されている前方可倒板と、
前記底板の後方短辺に固定された後方基板と、そして
前記後方基板の外方へ回動自在に前記後方基板に連結されている後方可倒板と、
から構成されていることを特徴とする棺。
【請求項２】
前記棺は、さらに蓋板を含んでいることを特徴とする請求項１に記載の棺。
【請求項３】
前記右方基板、前記左方基板、前記前方基板および前記後方基板の幅寸法は、いずれも同じ幅寸法あることを特徴とする請求項１又は２に記載の棺。
【請求項４】
前記右方可倒板、前記左方可倒板、前記前方可倒板および前記後方可倒板の幅寸法は、それぞれに前記右方基板、前記左方基板、前記前方基板および前記後方基板の幅寸法と同じであることを特徴とする請求項３に記載の棺。
【請求項５】
前記右方可倒板と前記右方基板の組、前記左方可倒板と前記左方基板の組、前記前方可倒板と前記前方基板の組および前記後方可倒板と前記後方基板の組の少なくとも１つの組は、蝶番によって連結されていることを特徴とする請求項１又は２に記載の棺。
【請求項６】
前記右方可倒板と前記右方基板の組、前記左方可倒板と前記左方基板の組、前記前方可倒板と前記前方基板の組および前記後方可倒板と前記後方基板の組の少なくとも１つの組は、布地又はプラスチックシートを接着することによって連結されていることを特徴とする請求項１又は２に記載の棺。
【請求項７】
前記右方可倒板、前記左方可倒板、前記前方可倒板、前記後方可倒板、前記右方基板、前記左方基板、前記前方基板、前記後方基板および前記底板の内面には、いずれも内装材が取り付けられていることを特徴とする請求項１又は２に記載の棺。
【請求項８】
前記内装材は、前記内装材に膨らみ持たせる中綿を含んでいることを特徴とする請求項７に記載の棺。
【請求項９】
前記前方可倒板と前記右方可倒板の組、前記右方可倒板と前記後方可倒板の組、前記後方可倒板と前記左方可倒板の組および前記左方可倒板と前記前方可倒板の組は、同じ組内の可倒板同士を連結する時、一の可倒板を、他の立てた可倒板の端部に向けてのみ嵌合させるために機能する留め具を備えていることを特徴とする請求項１又は２に記載の棺。
【請求項１０】
前記前方可倒板と前記右方可倒板の組の留め具は、前記前方可倒板を、立てた前記右方可倒板の端部に向けて嵌合させるために機能し、
前記右方可倒板と前記後方可倒板の組の留め具は、前記後方可倒板を、立てた前記右方可倒板の端部に向けて嵌合させるために機能し、
前記後方可倒板と前記左方可倒板の組の留め具は、前記左方可倒板を、立てた前記後方可倒板の端部に向けて嵌合させるために機能し、そして
前記左方可倒板と前記前方可倒板の組の留め具は、前記左方可倒板を、立てた前記前方可倒板の端部に向けて嵌合させるために機能することを特徴とする請求項９に記載の棺。
【請求項１１】
前記前方可倒板と前記右方可倒板の組の留め具は、前記右方可倒板を、立てた前記前方可倒板の端部に向けて嵌合させるために機能し、
前記右方可倒板と前記後方可倒板の組の留め具は、前記後方可倒板を、立てた前記右方可倒板の端部に向けて嵌合させるために機能し、
前記後方可倒板と前記左方可倒板の組の留め具は、前記左方可倒板を、立てた前記後方可倒板の端部に向けて嵌合させるために機能し、そして
前記左方可倒板と前記前方可倒板の組の留め具は、前記左方可倒板を、立てた前記前方可倒板の端部に向けて嵌合させるために機能することを特徴とする請求項９に記載の棺。
【請求項１２】
縦長の底板と、
前記底板の右方長辺に固定された右方側板と、
前記底板の左方長辺に固定された左方側板と、
前記底板の前方短辺に固定された前方側板と、そして
前記底板の後方短辺に固定された後方側板と、からなる棺において、
前記右方側板、前記左方側板、前記前方側板および前記後方側板の上方部分は、それぞれに前記右方側板、前記左方側板、前記前方側板および前記後方側板の残りの下方部分の外方へ折り畳み可能に連結されていることを特徴とする棺。
【請求項１３】
前記棺は、さらに蓋板を含んでいることを特徴とする請求項１２に記載の棺。
【請求項１４】
前記右方側板、前記左方側板、前記前方側板および前記後方側板の下方部分の幅寸法は、いずれも同じ幅寸法であることを特徴とする請求項１２又は１３に記載の棺。
【請求項１５】
前記右方側板、前記左方側板、前記前方側板、前記後方側板および前記底板の内面には、いずれも内装材が取り付けられていることを特徴とする請求項１２又は１３に記載の棺。
【請求項１６】
前記前方側板の上方部分と前記右方側板の上方部分の組、前記右方側板の上方部分と前記後方側板の上方部分の組、前記後方側板の上方部分と前記左方側板の上方部分の組および前記左方側板の上方部分と前記前方側板の上方部分の組は、同じ組内の側板の上方部分同士を連結する時、一の側板の上方部分を、他の側板の立てた上方部分の端部に向けてのみ嵌合させるために機能する留め具を備えていることを特徴とする請求項１２又は１３に記載の棺。
【請求項１７】
前記前方側板の上方部分と前記左方側板の上方部分の組の留め具は、前記前方側板の上方部分を、前記左方側板の立てた上方部分の端部に向けて嵌合させるために機能し、
前記左方側板の上方部分と前記後方側板の上方部分の組の留め具は、前記後方側板の上方部分を、前記左方側板の立てた上方部分の端部に向けて嵌合させるために機能し、
前記後方側板の上方部分と前記右方側板の上方部分の組の留め具は、前記右方側板の上方部分を、前記後方側板の立てた上方部分の端部に向けて嵌合させるために機能し、そして
前記右方側板の上方部分と前記前方側板の上方部分の組の留め具は、前記右方側板の上方部分を、前記前方側板の立てた上方部分の端部に向けて嵌合させるために機能することを特徴とする請求項１６に記載の棺。
【請求項１８】
前記右方側板の上方部分と前記後方側板の上方部分の組の留め具は、前記右方側板の上方部分を、前記後方側板の立てた上方部分の端部に向けて嵌合させるために機能し、
前記前方側板の上方部分と前記右方側板の上方部分の組の留め具は、前記前方側板の上方部分を、前記右方側板の立てた上方部分の端部に向けて嵌合させるために機能し、
前記後方側板の上方部分と前記左方側板の上方部分の組の留め具は、前記左方側板の上方部分を、前記後方側板の立てた上方部分の端部に向けて嵌合させるために機能し、そして
前記左方側板の上方部分と前記前方側板の上方部分の組の留め具は、前記左方側板の上方部分を、前記前方側板の立てた上方部分の端部に向けて嵌合させるために機能することを特徴とする請求項１６に記載の棺。
【発明の詳細な説明】
【技術分野】
【０００１】
本発明は棺に関し、特に棺のすべての側板を外方へ二つ折り可能に構成したことにより、側板を閉じた時は通常の棺として使用することができ、側板を二つ折りに折り畳んだ時はベッドのように使用することができる棺に関する。
【背景技術】
【０００２】
一般に通夜、告別式等の葬儀では、遺体を低温状態に保ち遺体の腐敗進行や異臭発散を防止し、さらに遺体の移送や火葬に適合させる目的で、遺体の安置および保存には箱型の棺が使用される。
【０００３】
しかしながら、近年では、遺体の腐敗進行を効果的に防止すると共に、遺体を生前に近い状態で長期間保持するのを可能にするために、例えば特開平１０−４５５０１号公報（特許文献３）及び特開２０００−９５６０１号公報（特許文献４）に記載されているようなエンバーミングという特殊な遺体処置技術が開発されている。このエンバーミングという遺体処置技術は、遺体の首の頸動脈と鼠頸部の頸動脈を開き、首部分より赤く着色した防腐剤を入れることにより、鼠頸部より血液を流出させると共に、すべての血管を赤色の防腐剤で満たすことにより、遺体を長時間にわたり生前の姿に近い状態に保持するというものである。
【０００４】
したがって、このエンバーミングという遺体処置技術を利用すれば、必ずしも低温保存等のために遺体を棺の中に収めておく必要がなく、遺族や会葬者が、いつでも故人とお別れを告げられるように、遺体を見え得る状態にして外部へ安置しておくことも可能である。
【０００５】
しかしながら、一般に棺は、蓋を取り外したり又は蓋に設けられた窓を開放することができるのみであって、蓋以外の棺本体を分解したり又は側板などの一部部品のみを取り外すことができない。このため、遺体を一度棺の中に収容してしまうと、棺の側板などが邪魔となって棺の中の遺体を周囲から容易に確認することができないという問題があった。
【０００６】
また、エンバーミング処置が施された遺体であっても、終局的には遺体を棺の中に収容して、火葬に付さなければならない。このため、側板などを取り外すことができない一般の棺では、遺体を上から下へ、棺の中の比較的奥深い位置へ向けて降ろすようにして収めなければならず、人手が掛かり手間も要するといった問題もあった。
【０００７】
このため、特に遺体を棺の中に収容する際の作業負荷を軽減する目的で、特開２０００−３１６９２３号公報（特許文献１）に記載されているように、蓋が左右に二分割されており、それぞれの蓋と連結した左方側板と右方側板の上方部分が蓋と共に開閉自在に構成された棺が開発されている。また、組み立て前の低容積化、組み立て作業の容易化を目的として、特開平７−３１３５６４号公報（特許文献２）に記載されているように、側板を折り畳めるようにした構造を有する棺なども知られている。
【０００８】
しかしながら、特許文献１に記載の棺は、納棺の際の作業負荷軽減のみを目的として、遺体を上から下へ向けて棺の中へ降ろすのではなく、遺体を棺の横方向からその中へ収容できるように構成されているため、棺の側板は、左方側板と右方側板のみが蓋と一体となってその上方部分から折り畳むことができ、前方側板と後方側板はまったく折り畳むことができない。
【０００９】
また、特許文献１に記載の棺は、二つ折りに畳んだ側板の外方に、さらに二つ折りに畳んだ蓋を配置しなければならない。このため、折り畳むことによって側板と蓋とが接する面はいずれも内面側となるので、前方側板と後方側板および蓋の内面側には、棺の内部を飾る目的で一定の厚みを有する内装材を取り付けることができない。もし前方側板と後方側板および蓋の内面に内装材を取り付けると、折り畳むことにより側板と蓋とが接する部分へ内装材が挟み込まれるため、側板と蓋の全面が互いに接し、完全に重なり合うように折り畳むことができなくなるからである。このため、特許文献１に記載の棺は、遺族や会葬者が、いつでも故人とお別れを告げられるように、側板を外方に折り畳むことによって中に安置された遺体を見え得る状態にして使用する棺としては、見栄えが悪く、適していないという問題があった。
【００１０】
一方、特許文献２に記載の棺は、組み立て前の低容積化、組み立て作業の容易化のみを目的として開発されているため、棺の左方側版と右方側板は、それぞれの上方部分が棺の底板へ向けて“内方へ”のみ折り畳むことができる構成となっており、側板を“外方へ”折り畳んだ状態で棺の横方向から遺体を収納することはできない。
【先行技術文献】
【特許文献】
【００１１】
【特許文献１】特開２０００−３１６９２３号公報
【特許文献２】特開平７−３１３５６４号公報
【特許文献３】特開平１０−４５５０１号公報
【特許文献４】特開２０００−９５６０１号公報
【発明の概要】
【発明が解決しようとする課題】
【００１２】
そこで、本発明は、棺の中への遺体の安置が容易であり、さらに棺の中へ安置した遺体を、遺族や会葬者がいつでも故人とお別れを告げられるように、棺の中に安置された遺体を見え得る状態にして使用することができる棺を提供することを目的とする。特に、棺は内部の様子が見えるようにして使用される場合があるので、棺の内部には内装材を施すことが可能であり、例えば中綿を備えた立体感のある内装材を施すことによって、棺の内部が見え得る状態にされている時、一見すると棺であることが判らず、ベッドやベッドのマットレスのように見せ掛けることができる棺を提供することを目的とする。
【課題を解決するための手段】
【００１３】
本発明者等は、棺の中への遺体の安置が容易であり、そして棺としても使用することができ、ベッドのように棺の内部が見え得る状態でも使用することができる棺の構造について鋭意検討を重ねた結果、棺の四方を囲むすべての側板の上方部分を、その下方部分の側板に対し外方へ回動できるように連結することにより、上記の課題を解決するに至った。
【００１４】
すなわち、本発明によれば、縦長の底板と、前記底板の右方長辺に固定された右方基板と、前記右方基板の外方へ回動自在に前記右方基板に連結されている右方可倒板と、前記底板の左方長辺に固定された左方基板と、前記左方基板の外方へ回動自在に前記左方基板に連結されている左方可倒板と、前記底板の前方短辺に固定された前方基板と、前記前方基板の外方へ回動自在に前記前方基板に連結されている前方可倒板と、前記底板の後方短辺に固定された後方基板と、そして前記後方基板の外方へ回動自在に前記後方基板に連結されている後方可倒板と、から構成されていることを特徴とする棺が提供される。
【００１５】
別言すれば、  本発明によって、縦長の底板と、前記底板の右方長辺に固定された右方側板と、前記底板の左方長辺に固定された左方側板と、前記底板の前方短辺に固定された前方側板と、そして前記底板の後方短辺に固定された後方側板と、からなる棺において、前記右方側板、前記左方側板、前記前方側板および前記後方側板の上方部分は、それぞれに前記右方側板、前記左方側板、前記前方側板および前記後方側板の残りの下方部分の外方へ折り畳み可能に連結されていることを特徴とする棺が提供される。
【００１６】
また、本発明の棺は、底板と二つ折りに折り畳むことが可能な側板とから構成されている棺本体に対し、分離した、通常の取り外し可能な蓋板を含んでいてもよい。
【００１７】
本発明の棺は、棺の四方を囲むすべての側板が、底板に固定されておりそして側板の下方部分を構成する基板と、基板に対し外方へ回動自在に連結されておりそして側板の上方部分を構成する可倒板とから構成されている。そのため、本発明の棺では、すべての側板において、可倒板を連結された基板に対し外方へ二つ折りの状態に折り畳むことができる。
【００１８】
このため、本発明の棺によれば、納棺時、側板の可倒板を基板の外方へ回動し、全部又は一部の側板の高さを低くすることにより、遺体を棺の上部開口からでなく、棺の横方向から収納できるようになるので、遺体の安置が極めて容易となる。
【００１９】
また、本発明の棺は、棺の中に遺体を安置した後においても、すべての側板の可倒板を基板の外方へ回動することができるので、すべての側板の高さ低くして、遺体がベッドやベッドのマットレスなどの上に寝かされているように見せ掛けることができる。したがって、この場合、例えばエンバーミング処置などを施した遺体であれば、自然な状態で、遺族や会葬者がいつでも故人とお別れを告げられるように見え得る状態に安置しておくことも可能となる。
【００２０】
このため、右方基板、左方基板、前方基板および後方基板の幅寸法、若しくは右方側板、左方側板、前方側板および後方側板の下方部分の幅寸法は、いずれも同じ幅寸法あることが好ましい。
【００２１】
このように、各基板の幅寸法を同じ幅寸法としておくと、すべての基板について、底板から各基板上辺までの高さが同じ高さとなるので、すべての可倒板を基板の上に折り畳んだ時、すべての側板の高さを低いレベルの同じ高さに揃えることができ、その結果、棺をより効果的に、遺体を寝かせるためのベッドの架台部分または専用の飾り台のように見せ掛けることができるようになる。この効果および原理は、各側板の下方部分の幅寸法を同じ幅寸法とした場合も同じである。
【００２２】
さらに、本発明の棺は、側板の右方可倒板、左方可倒板、前方可倒板および後方可倒板の幅寸法を、それぞれに右方基板、左方基板、前方基板および後方基板の幅寸法と同じにすることができる。すなわち、この構成は、棺の側板を高さ方向に二等分することにより、すべての側板を、側板の上方部分を構成する可倒板と側板の下方部分を構成する基板とに均等に分割していることを意味する。
【００２３】
このように、本発明の棺は、すべての側板を高さ方向に二等分すると、可倒板を基板の上に折り畳んだ時、縁などに段差やズレを生じることなく可倒板を基板の上に重ね合わせることができるので、一見すると、折り畳んだ状態の側板が一枚の板からできているかの如く見せ掛けることができる。その結果、すべての可倒板を基板の上に折り畳んだ時、本発明の棺は、棺の側板を二つ折りに折り畳んだものとは認識され難くなり、当初から遺体を安置するために準備された専用のベッドの架台または専用の飾り台のように見せ掛けることが可能となる。また、この効果および原理は、各側板の上方部分の幅寸法を下方部分の幅寸法と同じにした場合も同様である。
【００２４】
また、本発明の棺において、右方可倒板と右方基板の組、左方可倒板と左方基板の組、前方可倒板と前方基板の組および後方可倒板と後方基板の組の少なくとも１つの組は、蝶番によって連結されているか、若しくは布地又はプラスチックシートによって連結されていることが好ましい。また、可倒板と基板との連結は、蝶番、布地、プラスチックシートによる連結を適当に組み合わせたものであってもよい。
【００２５】
このように、本発明の棺は、側板の可倒板と基板の連結に蝶番、若しくは布地又はプラスチックシートを用いると、可倒板を基板の上に折り畳んだ時、可倒板を基板との間に隙間を生じることなく密着させて重ね合わせることができるので、折り畳んだ状態の側板が一枚の板からできているのか、それとも二つ折りの状態にされた二枚の板からできているのかを真偽不明にするのに有利となる。
【００２６】
また、可倒板と基板の連結に布地又はプラスチックシートを用いる場合、布地又はプラスチックシートは、可倒板、基板の外側表面に接着して連結するのが好ましい。可倒板と基板は、互いに接する連結辺の外側エッジ部を中心軸として回動するため、両板の外側エッジ部を含んでいる外側表面に布地又はプラスチックシートを接着すると、可倒板は、特に外側エッジ部付近に布地又はプラスチックシートの弛みを生じさせることなく、基板の外方へ容易に回動できるようになる。
【００２７】
なお、可倒板と基板を連結するのに用いる布地又はプラスチックシートの材質や形状に特に制限はなく、基本的に薄くて可撓性に富み且つ引張り強度があるものであれば、繊維状のものであっても使用することができる。また、以上の効果および原理は、各側板の上方部分の幅寸法を下方部分の幅寸法と同じにした場合も同様である。
【００２８】
さらに、本発明の棺では、右方可倒板、左方可倒板、前方可倒板、後方可倒板、右方基板、左方基板、前方基板、後方基板および底板の内面、若しくは右方側板、左方側板、前方側板、後方側板および底板の内面に内装材を施すことが好ましい。
【００２９】
棺に対する内装材の施工は、棺の内部を華やか見せる視覚的効果を得ることができ、また可倒板と基板の連結のために使用する蝶番等の取付具を隠蔽するためにも有効である。特に本発明の棺の場合、例えば中綿を備えたベッド生地やソファー生地、布団生地などからなる内装材を適用すると、すべての側板を二つ折りに折り畳んだ時、可倒板の内面側に取り付けられ、中綿により立体的な膨らみが持たされた内装材が棺の表側へ露出するため、遺体を安置するために準備された本物のベッドやベッドのマットレスまたは専用の飾り台のように見せ掛けることが可能となる。
【００３０】
本発明の棺の可倒板は、基板の上に立てた各可倒板同士を連結するための留め具を備えていることが好ましい。この場合、留め具は、前方可倒板と右方可倒板の組、右方可倒板と後方可倒板の組、後方可倒板と左方可倒板の組および左方可倒板と前方可倒板の組において、同じ組内の可倒板同士を連結する時、一の可倒板を、他の立てた可倒板の端部に向けてのみ嵌合させるように機能するものであることが好ましい。
【００３１】
別言すれば、留め具は、本発明の棺の前方側板の上方部分と右方側板の上方部分の組、右方側板の上方部分と後方側板の上方部分の組、後方側板の上方部分と左方側板の上方部分の組および左方側板の上方部分と前方側板の上方部分の組において、同じ組内の側板の上方部分同士を連結する時、一の側板の上方部分を、他の側板の立てた上方部分の端部に向けてのみ嵌合させるように機能するものであることが好ましい。なお、本発明で使用できる留め具に特に限定はなく、留める方向、嵌合する方向が一方向のものであれば公知の留め具を使用することができる。
【００３２】
可倒板又は側板の上方部分に、各可倒板同士又は側板の各上方部分同士を連結するための留め具を取り付けておくと、本発明の棺を作業者が一人で組み立てることが可能となるので便利である。
【００３３】
また、嵌合方向が一方向に限定された留め具を使用すると、最後に連結される可倒板又は側板の上方部分以外の可倒板又は側板の上方部分には、少なくとも１つの留め具の嵌合方向を、その可倒板又は側板の上方部分の可動方向と直交する方向に配置することが可能となる。このため、組み立てた後の本発明の棺は、最後に連結された可倒板又は側板の上方部分以外の可倒板又は側板の上方部分を一方向に回動させるのみでは展開することができなくなるので、留め具が破壊されない限り、不意に展開することがなくなり安全である。また、組み立ての途中に棺が自然と展開してしまうことも防止できるので、作業者が棺を一人で組み立てるのがより一層容易となるという効果もある。
【００３４】
例えば、前方可倒板と右方可倒板の組の留め具は、前方可倒板を、立てた右方可倒板の端部に向けて嵌合させるように機能するものを選択し、右方可倒板と後方可倒板の組の留め具は、後方可倒板を、立てた右方可倒板の端部に向けて嵌合させるように機能するものを選択し、後方可倒板と左方可倒板の組の留め具および左方可倒板と前方可倒板の組の留め具は、左方可倒板を、立てた後方可倒板の端部および前方可倒板の端部に向けて嵌合させるように機能するものを選択することができる。
【００３５】
この場合、本発明の棺は、各可倒板を（１）右方可倒板、（２）前方可倒板、（３）後方可倒板、（４）左方可倒板の順で立てて行き、可倒板の留め具を相互に連結させることによって組み立てることができる。
【００３６】
そして本発明の棺を組み立てた後、右方可倒板の回動方向は前方可倒板および後方可倒板と連結するために取り付けられる留め具の嵌合方向と直交するので、右方可倒板の回動は前方可倒板側および後方可倒板側の留め具によって阻止される。同様に、前方可倒板の回動方向は左方可倒板と連結するために取り付けられる留め具の嵌合方向と直交するので、前方可倒板の回動は左方可倒板側の留め具によって阻止される。また、後方可倒板の回動方向は左方可倒板と連結するために取り付けられる留め具の嵌合方向と直交するので、後方可倒板の回動は左方可倒板側の留め具によって阻止される。一方、左方可倒板の回動方向は前方可倒板および後方可倒板と連結するために取り付けられる留め具のいずれの嵌合方向とも同じ方向であるので、左方可倒板の回動は拘束されない。
【００３７】
したがって、上述のように留め具の嵌合方向を配置すると、右方可倒板、前方可倒板および後方可倒板を立てて、左方可倒板のみを折り畳んだ状態にすることもできる。また、左方可倒板を閉じた後、左方可倒板の意図しない展開を防止するためには、左方可倒板の上端部とその上部に配置される蓋板との間で係合させるための雄雌構造を設けることが有効である。
【００３８】
なお、本発明の棺において、右方可倒板と左方可倒板の組および前方可倒板と後方可倒板の組はいずれも左右対称又は前後対称の位置に配置されるので、上述のような留め具の嵌合方向の配置において、右方可倒板と左方可倒板を入れ換えても、または前方可倒板と後方可倒板を入れ換えても同じ目的を達成することができる。以下に、留め具の嵌合方向を変更した他の具体例を列挙して例示する。
【００３９】
例えば、前方可倒板と右方可倒板の組の留め具は、右方可倒板を、立てた前方可倒板の端部に向けて嵌合させるように機能するものを選択し、右方可倒板と後方可倒板の組の留め具は、後方可倒板を、立てた右方可倒板の端部に向けて嵌合させるように機能するものを選択し、後方可倒板と左方可倒板の組の留め具および左方可倒板と前方可倒板の組の留め具は、左方可倒板を、立てた後方可倒板の端部および立てた前方可倒板の端部に向けて嵌合させるように機能するものを選択することができる。
【００４０】
この場合、本発明の棺は、各可倒板を（１）前方可倒板、（２）右方可倒板、（３）後方可倒板、（４）左方可倒板の順で立てて行き、各可倒板の留め具を相互に連結させることによって組み立てることができる。また、組み立てた後の棺は、左方可倒板以外の可倒板の回動が少なくとも１つの留め具によって阻止されるので、自由に開閉することができない。
【００４１】
例えば、前方側板の上方部分と左方側板の上方部分の組の留め具は、前方側板の上方部分を、左方側板の立てた上方部分の端部に向けて嵌合させるように機能するものを選択し、左方側板の上方部分と後方側板の上方部分の組の留め具は、後方側板の上方部分を、左方側板の立てた上方部分の端部に向けて嵌合させるように機能するものを選択し、後方側板の上方部分と右方側板の上方部分の組の留め具および右方側板の上方部分と前方側板の上方部分の組の留め具は、右方側板の上方部分を、後方側板の立てた上方部分の端部および前方側板の立てた上方部分の端部に向けて嵌合させるように機能するものを選択することができる。
【００４２】
この場合、本発明の棺は、各可倒板を（１）左方側板の上方部分、（２）前方側板の上方部分、（３）後方側板の上方部分、（４）右方側板の上方部分の順で立てて行き、各側板の上方部分の留め具を相互に連結させることによって組み立てることができる。また、組み立てた後の棺は、右方側板の上方部分以外の側板の上方部分の回動が少なくとも１つの留め具によって阻止されるので、自由に開閉することができない。
【００４３】
例えば、右方側板の上方部分と後方側板の上方部分の組の留め具は、右方側板の上方部分を、後方側板の立てた上方部分の端部に向けて嵌合させるために機能するものを選択し、前方側板の上方部分と右方側板の上方部分の組の留め具は、前方側板の上方部分を、右方側板の立てた上方部分の端部に向けて嵌合させるために機能するものを選択し、後方側板の上方部分と左方側板の上方部分の組の留め具および左方側板の上方部分と前方側板の上方部分の組の留め具は、左方側板の上方部分を、後方側板の立てた上方部分の端部および前方側板の立てた上方部分の端部に向けて嵌合させるために機能するものを選択することができる。
【００４４】
この場合、本発明の棺は、各可倒板を（１）後方側板の上方部分、（２）右方側板の上方部分、（３）後方側板の上方部分、（４）左方側板の上方部分の順で立てて行き、各側板の上方部分の留め具を相互に連結させることによって組み立てることができる。また、組み立てた後の棺は、左方側板の上方部分以外の側板の上方部分の回動が少なくとも１つの留め具によって阻止されるので、自由に開閉することができない。
【発明の効果】
【００４５】
本発明によれば、棺の中への遺体の安置が容易であり、さらに棺の中へ遺体を安置した状態で、遺族や会葬者が、いつでも故人とお別れを告げられるように、棺の側板を外方に折り畳むことによって、中に安置された遺体を見え得る状態にして使用することができる棺が提供される。特に、棺は中に安置された遺体を見えるように、棺の側板を外方へ折り畳んだ状態でも使用されるので、棺の内部は内装材を施すことが可能であり、例えば中綿を備えた立体感のある内装材を施すことにより、棺の側板を外方に折り畳んだ時、一見すると棺であることが判らず、ベッドやベッドのマットレスのように見せ掛けることができる棺が提供される。
【図面の簡単な説明】
【００４６】
【図１】蓋板を備えた状態の本発明の棺の斜視図である。
【図２】図１に示される棺のすべての側板を二つ折りに折り畳んだ状態の斜視図である。
【図３】図１に示される棺をＡ−Ａ断面で切り取った断面図である。
【図４】可倒板に留め具を取り付けた棺の組立手順を示した一実施形態に係る模式図である。
【図５】可倒板に留め具を取り付けた棺の組立手順を示した他の実施形態に係る模式図である。
【発明を実施するための形態】
【００４７】
以下、本発明の一実施形態に係る棺について、図面を参照しながら詳細に説明する。なお、本発明は、以下に示される実施例に限定されるものではなく、本発明の技術的思想を逸脱しない範囲内で各種の変更が可能である。
【実施例】
【００４８】
図１〜３を用いて、本発明の棺の構成および特徴を説明する。
【００４９】
図１〜３には、本発明の一実施形態に係る棺１の線図が示されている。図１〜３では、特に棺１の可動部分などの構成をより分かり易くするため、底板２および各側板３，４，５，６に取り付けられる内装材が省略して描かれている。
【００５０】
図１には、底板２を備え、すべての側板３，４，５，６が閉じられた状態の棺本体１０へ、さらに蓋板７が取り付けられている本発明の棺１が示されている。すなわち、図１に示される本発明の棺１は、一般的な縦長の箱型形状をしている。また、図２には、底板２を備え、すべての側板３，４，５,６が二つ折りに折り畳まれた状態の本発明の棺１が示されている。すなわち、図２に示されるように、本発明の棺１は、棺１のすべての側板３，４，５，６の高さを低くすることにより、中に収容された遺体（図示せず）を見え得る状態にして使用することができる点が、従来の棺と大きく異なる。
【００５１】
図１〜３を参照して理解されるように、本発明の棺１は、底板２と、底板２の左右長辺に固定された右方側板３及び左方側板４と、底板２の前後短辺に固定された前方側板５及び後方側板６から構成されている。また、図３に示されているように、各側板３，４，５，６は、上方部分を構成する可倒板３ａ，４ａ，５ａ，６ａと下方部分を構成する基板３ｂ，４ｂ，５ｂ，６ｂとに分割されており、そしてそれぞれの可倒板３ａ，４ａ，５ａ，６ａは、対応する基板３ｂ，４ｂ，５ｂ，６ｂの外方に重ね合わせることができるように、ぞれぞれの基板３ｂ，４ｂ，５ｂ，６ｂに回動自在に連結されている。
【００５２】
したがって、本発明の棺１は、側板の上方部分を構成する可倒板３ａ，４ａ，５ａ，６ａを、下方部分を構成する基板３ｂ，４ｂ，５ｂ，６ｂの連結辺の上に起立させることにより、一般的な箱型の棺１として使用することができる（図１，３参照）。
【００５３】
一方、本発明の棺１は、側板の上方部分を構成する可倒板３ａ，４ａ，５ａ，６ａを、下方部分を構成する基板３ｂ，４ｂ，５ｂ，６ｂの外面上に回動することにより、二つ折りの状態に変形させて使用することもできる（図２，３参照）。
【００５４】
このため、本発明の棺１によれば、納棺時、一部の側板の可倒板３ａ，４ａ，５ａ，６ａを基板３ｂ，４ｂ，５ｂ，６ｂの外方へ回動し、側板３，４，５，６のいずれかの高さを低くすることにより、遺体（図示せず）を棺１の上部開口１１からでなく、棺の横方向１２から収納できるようになるので（図３参照）、遺体の収容が極めて容易となる。
【００５５】
また、本発明の棺１は、棺１の中に遺体を安置した後においても、すべての側板の可倒板３ａ，４ａ，５ａ，６ａを基板３ｂ，４ｂ，５ｂ，６ｂの外方へ回動することができるので、すべての側板３，４，５，６の高さ低くして、遺体がベッドやベッドのマットレスなどの上に寝かされているように見せ掛けることができる。したがって、この場合、例えばエンバーミング処置などを施した遺体であれば、自然な状態で、遺族や会葬者がいつでも故人とお別れを告げられるように見え得る状態に安置しておくことも可能となる。また、遺体の横方向１２からの収納性を向上させる目的で、図２に示されるように、すべての可倒板３ａ，４ａ，５ａ，６ａを倒すことにより、すべての側板３，４，５，６の高さ低くして使用してもよい。
【００５６】
このため、本発明の棺１では、各側板３，４，５，６の下方部分を構成する右方基板３ｂ、左方基板４ｂ、前方基板５ｂおよび後方基板６ｂの幅寸法は、いずれも同じ幅寸法としている。
【００５７】
このように、各側板３，４，５，６の下方部分を構成する各基板３ｂ，４ｂ，５ｂ，６ｂの幅寸法を同じ幅寸法とすると、すべての基板３ｂ，４ｂ，５ｂ，６ｂについて、底板２から各基板の上辺までの高さが同じ高さとなるので、すべての可倒板３ａ，４ａ，５ａ，６ａを基板３ｂ，４ｂ，５ｂ，６ｂの上に折り畳んだ時、すべての側板３，４，５，６の高さを低レベルの同じ高さに揃えることができ、その結果、棺１をより効果的に、遺体を寝かせるためのベッドの架台部分または専用の飾り台のように見せ掛けることができるようになる。
【００５８】
さらに、本発明の棺１では、側板３，４，５，６の上方部分を構成する右方可倒板３ａ、左方可倒板４ａ、前方可倒板５ａおよび後方可倒板６ａの幅寸法を、それぞれに側板３，４，５，６の下方部分を構成する右方基板３ｂ、左方基板４ｂ、前方基板５ｂおよび後方基板６ｂの幅寸法と略同じ寸法としている。すなわち、この構成は、棺１の側板３，４，５，６を高さ方向に二等分することにより、すべての側板３，４，５，６を、側板の上方部分を構成する可倒板３ａ，４ａ，５ａ，６ａと側板の下方部分を構成する基板３ｂ，４ｂ，５ｂ，６ｂとに均等に分割している。
【００５９】
このように、棺１のすべての側板３，４，５，６を高さ方向に二等分すると、可倒板３ａ，４ａ，５ａ，６ａを基板３ｂ，４ｂ，５ｂ，６ｂの上に折り畳んだ時、縁などに段差やズレを生じることなく可倒板を基板の上に重ね合わせることができるので、棺１は、一見すると、折り畳んだ状態の側板３，４，５，６が一枚の板からできているかの如く見せ掛けることができる。その結果、すべての可倒板３ａ，４ａ，５ａ，６ａを基板３ｂ，４ｂ，５ｂ，６ｂの上に折り畳んだ時、本発明の棺１は、棺１の側板３，４，５，６を二つ折りに折り畳んだものとは認識され難くなり、当初から遺体を安置するために準備された専用のベッドの架台または専用の飾り台のように見せ掛けることが可能となる。
【００６０】
図示しないが、特に本発明の棺１では、側板３，４，５，６の上方部分を構成する右方可倒板３ａ、左方可倒板４ａ、前方可倒板５ａ、後方可倒板６ａの内面、側板３，４，５，６の下方部分を構成する右方基板３ｂ、左方基板４ｂ、前方基板５ｂ、後方基板６ｂの内面および底板２の内面に内装材を施すことができる。
【００６１】
このように、棺１に対する内装材の施工は、棺１の内部を華やか見せる視覚的効果を得ることができ、また可倒板と基板の連結のために使用する蝶番等の取付具を隠蔽するためにも有効である。特に本発明の棺１の場合、中綿を備えたソファー生地からなる内装材を適用すれば、棺１は、すべての側板３，４，５，６を二つ折りに折り畳んだ時、可倒板３ａ，４ａ，５ａ，６ａの内面側に取り付けられた、中綿により立体的な膨らみが持たされた内装材が棺１の表側へ露出するため、遺体を安置するために準備された本物のベッドやベッドのマットレスまたは専用の飾り台のように見せ掛けることが可能となる。
【００６２】
また、図２に示されているように、本発明の棺１において、右方可倒板３ａと右方基板３ｂの組、左方可倒板４ａと左方基板４ｂの組、前方可倒板５ａと前方基板５ｂの組および後方可倒板６ａと後方基板６ｂの組は、蝶番８によって連結されている。また、各可倒板３ａ，４ａ，５ａ，６ａと基板３ｂ，４ｂ，５ｂ，６ｂの組は、蝶番８に代えて、布地又はプラスチックシート、若しくは蝶番と布地とプラスチックシートを適当に組み合わせたものによって連結することもできる。
【００６３】
このように、側板３，４，５，６の上方部分を構成する可倒板３ａ，４ａ，５ａ，６ａと、側板３，４，５，６の下方部分を構成する基板３ｂ，４ｂ，５ｂ，６ｂの連結に蝶番を用いると、可倒板を基板の上に折り畳んだ時、可倒板３ａ，４ａ，５ａ，６ａを基板３ｂ，４ｂ，５ｂ，６ｂとの間に隙間を生じることなく密着させて重ね合わせることができるので、折り畳んだ状態の側板３，４，５，６が一枚の板からできているのか、それとも二つ折りの状態にされた二枚の板からできているのかを真偽不明にするのに有利となる。
【００６４】
図示しないが、本発明の棺１の側板３，４，５，６の上方部分を構成する可倒板３ａ，４ａ，５ａ，６ａは、可倒板同士を連結するための留め具を備えている。留め具は、前方可倒板５ａと右方可倒板３ａの組、右方可倒板３ａと後方可倒板６ａの組、後方可倒板６ａと左方可倒板４ａの組および左方可倒板４ａと前方可倒板５ａの組において、同じ組内の可倒板同士を連結する時、一の可倒板を、他の立てた可倒板の端部に向けてのみ嵌合させるように機能する。また、本発明で使用できる留め具に特に限定はなく、留める方向、嵌合する方向が一方向のものであれば公知の留め具を使用することができる。
【００６５】
このように、可倒板３ａ，４ａ，５ａ，６ａに、各可倒板同士を連結するための留め具を取り付けておくと、本発明の棺１を作業者が一人で組み立てることが可能となるので便利である。
【００６６】
また、嵌合方向が一方向に限定された留め具を使用すると、最後に連結される可倒板以外の可倒板には、少なくとも１つの留め具の嵌合方向を、その可倒板の可動方向と直交する方向に配置することが可能となる。このため、組み立てた後の本発明の棺１は、最後に連結された可倒板以外の可倒板を一方向に回動させるのみでは展開することができなくなるので、留め具が破壊されない限り、不意に展開することがなくなり安全である。また、組み立ての途中に棺１が自然と展開してしまうことも防止できるので、作業者が棺１を一人で組み立てるのがより一層容易となるという効果もある。
【００６７】
図４は、本発明の棺１の側板３，４，５，６の上方部分を構成する可倒板３ａ，４ａ，５ａ，６ａに留め具を取り付けた一実施形態を示した模式図であって、図中、矢印３ｃ，４ｃ，５ｃ，６ｃは各可倒板３ａ，４ａ，５ａ，６ａの回動方向を示しており、矢印９ａ〜９ｄは各留め具の嵌合方向を示している。また、各可倒板３ａ，４ａ，５ａ，６ａは、図中（ａ）〜（ｄ）の順に従って、側板３，４，５，６の下方部分を構成する基板３ｂ，４ｂ，５ｂ，６ｂの上に立てられて組み立てられる。
【００６８】
図４に示される一実施形態では、前方可倒板５ａと右方可倒板３ａの組の留め具は、前方可倒板５ａを、立てた右方可倒板３ａの端部に向けて嵌合させるように機能する。右方可倒板３ａと後方可倒板６ａの組の留め具は、後方可倒板６ａを、立てた右方可倒板３ａの端部に向けて嵌合させるように機能する。後方可倒板６ａと左方可倒板４ａの組の留め具および左方可倒板４ａと前方可倒板５ａの組の留め具は、左方可倒板３ａを、立てた後方可倒板６ａの端部および前方可倒板５ａの端部に向けて嵌合させるように機能する。
【００６９】
このため、本実施形態の棺１では、図４の（ａ）〜（ｄ）の順に従って、各可倒板を（１）右方可倒板３ａ、（２）前方可倒板５ａ、（３）後方可倒板６ａ、（４）左方可倒板４ａの順で立てて行き、可倒板の留め具を相互に連結させることによって組み立てることができる。
【００７０】
また、図４（ｄ）を参照して理解されるように、右方可倒板３ａの回動方向３ｃは、前方可倒板５ａおよび後方可倒板６ａと連結するために取り付けられる留め具の嵌合方向９ａ，９ｂと直交するので、右方可倒板３ａの回動は前方可倒板側および後方可倒板側の留め具によって阻止される。同様に、前方可倒板５ａの回動方向５ｃは、左方可倒板４ａと連結するために取り付けられる留め具の嵌合方向９ｃと直交するので、前方可倒板５ａの回動は左方可倒板側の留め具によって阻止される。また、後方可倒板６ａの回動方向６ｃは、左方可倒板４ａと連結するために取り付けられる留め具の嵌合方向９ｄと直交するので、後方可倒板６ａの回動は左方可倒板側の留め具によって阻止される。一方、左方可倒板４ａの回動方向４ｃは、前方可倒板５ａおよび後方可倒板６ａと連結するために取り付けられる留め具のいずれの嵌合方向９ｃ，９ｄとも同じ方向であるので、左方可倒板４ａの回動は拘束されない。
【００７１】
したがって、この実施例の場合、組み立てられた後の棺１は、左方可倒板４ａ以外の可倒板４ｂ、４ｃ、４ｄを自由に開閉することができず、意図しない可倒板４ｂ、４ｃ、４ｄの展開が防止される。また、右方可倒板３ａ、前方可倒板５ａおよび後方可倒板５ａを立てて、左方可倒板４ａのみを折り畳んだ状態にすることもできる。なお、図示しないが、左方可倒板４ａを閉じた後、左方可倒板４ａの意図しない展開を防止するためには、左方可倒板４ａの上端部とその上部に配置される蓋板７との間で係合させるための雄雌構造を設けることが有効である。
【００７２】
図５は、本発明の棺１の側板３，４，５，６の上方部分を構成する可倒板３ａ，４ａ，５ａ，６ａに留め具を取り付けた他の実施形態を示した模式図であって、図中、矢印３ｃ，４ｃ，５ｃ，６ｃは各可倒板３ａ，４ａ，５ａ，６ａの回動方向を示しており、矢印９１ａ〜９１ｄは各留め具の嵌合方向を示している。また、各可倒板３ａ，４ａ，５ａ，６ａは、図中（ａ）〜（ｄ）の順に従って、側板３，４，５，６の下方部分を構成する基板３ｂ，４ｂ，５ｂ，６ｂの上に立てられて組み立てられる。
【００７３】
図５に示される他の実施形態では、前方可倒板５ａと右方可倒板３ａの組の留め具は、右方可倒板３ａを、立てた前方可倒板５ａの端部に向けて嵌合させるように機能する。右方可倒板３ａと後方可倒板６ａの組の留め具は、後方可倒板６ａを、立てた右方可倒板３ａの端部に向けて嵌合させるように機能する。後方可倒板６ａと左方可倒板４ａの組の留め具および左方可倒板４ａと前方可倒板５ａの組の留め具は、左方可倒板３ａを、立てた後方可倒板６ａの端部および前方可倒板５ａの端部に向けて嵌合させるように機能する。
【００７４】
このため、本実施形態の棺１では、図５の（ａ）〜（ｄ）の順に従って、各可倒板を（１）前方可倒板５ａ、（２）右方可倒板３ａ、（３）後方可倒板６ａ、（４）左方可倒板４ａの順で立てて行き、可倒板の留め具を相互に連結させることによって組み立てることができる。
【００７５】
また、図５（ｄ）を参照して理解されるように、右方可倒板３ａの回動方向３ｃは、後方可倒板６ａと連結するために取り付けられる留め具の嵌合方向９１ａと直交するので、右方可倒板３ａの回動は後方可倒板側の留め具によって阻止される。同様に、前方可倒板５ａの回動方向５ｃは、右方可倒板３ａおよび左方可倒板４ａと連結するために取り付けられる留め具の嵌合方向９１ｂ，９１ｃと直交するので、前方可倒板５ａの回動は右方可倒板側および左方可倒板側の留め具によって阻止される。また、後方可倒板６ａの回動方向６ｃは、左方可倒板４ａと連結するために取り付けられる留め具の嵌合方向９ｄと直交するので、後方可倒板６ａの回動は左方可倒板側の留め具によって阻止される。一方、左方可倒板４ａの回動方向４ｃは、前方可倒板５ａおよび後方可倒板６ａと連結するために取り付けられる留め具のいずれの嵌合方向９１ｃ，９１ｄとも同じ方向であるので、左方可倒板４ａの回動は拘束されない。
【００７６】
したがって、この実施例の場合、組み立てられた後の棺１は、左方可倒板４ａ以外の可倒板４ｂ、４ｃ、４ｄを自由に開閉することができず、意図しない可倒板４ｂ、４ｃ、４ｄの展開が防止される。また、右方可倒板３ａ、前方可倒板５ａおよび後方可倒板５ａを立てて、左方可倒板４ａのみを折り畳んだ状態にすることもできる。なお、図示しないが、左方可倒板４ａを閉じた後、左方可倒板４ａの意図しない展開を防止するためには、左方可倒板４ａの上端部とその上部に配置される蓋板７との間で係合させるための雄雌構造を設けることが有効である。
【００７７】
本発明の棺１において、右方可倒板３ａと左方可倒板４ａの組および前方可倒板５ａと後方可倒板６ａの組はいずれも左右対称又は前後対称の位置に配置されるので、上述のような留め具の嵌合方向の配置において、右方可倒板３ａと左方可倒板４ａを入れ換えても、または前方可倒板５ａと後方可倒板６ａを入れ換えても同じ目的を達成することができる。
【符号の説明】
【００７８】
１  ・・・・・・・・・棺
１０・・・・・・・・棺本体
１１・・・・・・・・開口部
１２・・・・・・・・横方向
２  ・・・・・・・・底板
３，４，５，６・・・側板
３ａ，４ａ，５ａ，６ａ・・・可倒板
３ｂ，４ｂ，５ｂ，６ｂ・・・基板
３ｃ，４ｃ，５ｃ，６ｃ・・・回動方向
７  ・・・・・・・・蓋板
８  ・・・・・・・・蝶番
９ａ，９ｂ，９ｃ，９ｄ・・・嵌合方向
９１ａ，９１ｂ，９１ｃ，９１ｄ・・・嵌合方向
【要約】
【課題】棺の中への遺体の収容が容易であり、さらに棺の中に安置された遺体を見え得る状態にして使用することができる棺を提供することを目的とする。
【解決手段】縦長の底板と、前記底板の右方長辺に固定された右方側板と、前記底板の左方長辺に固定された左方側板と、前記底板の前方短辺に固定された前方側板と、そして前記底板の後方短辺に固定された後方側板と、からなる棺において、前記各側板の上方部分は、それぞれに前記各側板の残りの下方部分に対しその外方へ二つ折り可能に連結されている棺を提供する。
【選択図】    図２【図１】
0005433070.tif 000002
【図２】
0005433070.tif 000003
【図３】
0005433070.tif 000004
【図４】
0005433070.tif 000005
【図５】
0005433070.tif 000006